(57)【要約】      （修正有）【課題】螺着固定式のコネクタでは、２つのコネクタが相対回転する場合、または振動が過度に頻繁および強烈であると、ナットおよびスレッドが相対して次第に回転し、抜ける可能性がある。抜けることを防止する抜け防止コネクタを提供する。【解決手段】ナットスリーブ３００は管体１００の外に嵌められ、ナットスリーブ３００に対応コネクタを螺着させるスレッド３１１が設けられる。弾性締付リング４１０はナットスリーブ３００を周回し、管体１００およびナットスリーブ３００の間に配置される。管体１００およびナットスリーブ３００のうちの１つは多角環状面を有し、弾性締付リング４１０は管体１００およびナットスリーブ３００のもう１つに固定接続され、弾性締付リング４１０は多角環状面を押さえる。多角環状面は弾性締付リング４１０に複数の当接点を提供し、これにより管体１００およびナットスリーブ３００が相対回転し、抜けるのを防止する。【選択図】図３
2020184507.tif 000002
【特許請求の範囲】
【請求項１】
対応コネクタと接続する抜け防止コネクタであって、
複数の端子が挿設される管体と；
前記管体の外に嵌められ、前記前記対応コネクタを螺着させるスレッドが設けられるナットスリーブと；
前記ナットスリーブを周回し、前記管体および前記ナットスリーブの間に配置される弾性締付リングと；を含み、
前記管体および前記ナットスリーブのうちの１つは多角環状面を有し、前記弾性締付リングは前記管体および前記ナットスリーブのもう１つに固定接続され、前記弾性締付リングは前記多角環状面を押さえる、抜け防止コネクタ。
【請求項２】
前記多角環状面は前記管体の外壁に形成され、前記多角環状面は環状に配置される複数の小さな平面を含み、前記弾性締付リングは前記ナットスリーブに固定接続され、前記弾性締付リングの内縁は少なくとも１つの前記小さな平面を押さえる、請求項１に記載の抜け防止コネクタ。
【請求項３】
前記弾性締付リングに直線部分が形成され、前記直線部分の内縁が１つの前記小さな平面を押さえる、請求項２に記載の抜け防止コネクタ。
【請求項４】
前記多角環状面は前記ナットスリーブの内壁に形成され、前記多角環状面は環状に配置される複数の小さな平面を含み、前記弾性締付リングは前記管体に固定接続され、前記弾性締付リングの外縁は隣接する少なくとも２つの前記小さな平面の間を押さえる、請求項１に記載の抜け防止コネクタ。
【請求項５】
前記弾性締付リングを折り曲げて凸角が形成され、前記凸角の外縁が隣接する少なくとも２つの前記小さな平面の間を押さえる、請求項４に記載の抜け防止コネクタ。
【請求項６】
前記スレッドが前記ナットスリーブの外壁に設けられる、請求項１に記載の抜け防止コネクタ。
【請求項７】
前記ナットスリーブの両端はそれぞれ螺着端および操作端であり、前記スレッドは前記螺着端に設置され、前記操作端は把持スリーブと接続され、前記ナットスリーブは前記把持スリーブに相対して同軸回転することができる、請求項１に記載の抜け防止コネクタ。
【請求項８】
前記操作端は前記把持スリーブと相互に重なる、請求項７に記載の抜け防止コネクタ。
【請求項９】
前記管体の両端にそれぞれ止め輪が設けられ、１つの前記止め輪は前記螺着端の外に留められ、もう１つの前記止め輪は前記把持スリーブ内に固定される、請求項７に記載の抜け防止コネクタ。
【請求項１０】
前記止め輪は前記管体の外側壁に形成される、請求項９に記載の抜け防止コネクタ。
【請求項１１】
前記止め輪は前記管体の外側壁に固定される、請求項９に記載の抜け防止コネクタ。
【請求項１２】
さらに端子台を含み、前記端子台は本体を含み、前記本体から平行に間隔を空けて配置される複数の柱体が延伸して形成され、前記端子は本体に埋設され、それぞれ延伸して対応する各前記柱体の末端から縦方向に貫通し、前記管体内に前記柱体に対応する複数の導管が形成され、前記本体は前記把持スリーブ内に収容され、各前記柱体はそれぞれ対応する各前記導管内に挿設され、各前記端子はそれぞれ前記管体内に露出する、請求項９に記載の抜け防止コネクタ。
【発明の詳細な説明】
【技術分野】
【０００１】
本発明はコネクタに関し、特に螺着固定式の抜け防止コネクタを指す。
【背景技術】
【０００２】
一般的に、静的な使用環境において、相互に接続するコネクタは、両者の間の摩擦力により抜けるのを防止することができる。動的な使用環境または常に振動している使用環境においては、相互に接続するコネクタは、両者の間の摩擦力のみでは、抜けるのを防止するには明らかに不足であるため、両者の間を常にナットおよびスレッドで固定し、これにより、より確実に抜けるのを防止する。
【０００３】
しかしながら、ある特定の使用状態のとき、２つのコネクタが相対回転することを許容する必要がある可能性がある。または振動が過度に頻繁および強烈であると、ナットおよびスレッドが相対して次第に回転し、抜ける可能性がある。
【０００４】
このことを考慮して、本発明人は上記既存技術について鋭意研究を行い、さらに学理的な利用に適応させ、上記問題点の解決に尽力することが、本発明人の改良の目標となっている。
【発明の概要】
【発明が解決しようとする課題】
【０００５】
本発明は、螺着固定式の抜け防止コネクタを提供する。
【課題を解決するための手段】
【０００６】
本発明は、対応コネクタと接続する抜け防止コネクタを提供し、管体、ナットスリーブおよび弾性締付リングを含む。管体内に複数の端子が挿設される。ナットスリーブは管体の外に嵌められ、ナットスリーブに前記対応コネクタを螺着させるスレッドが設けられる。弾性締付リングはナットスリーブを周回し、管体およびナットスリーブの間に配置される。管体およびナットスリーブのうちの１つは多角環状面を有し、弾性締付リングは管体およびナットスリーブのもう１つに固定接続され、弾性締付リングは多角環状面を押さえる。
【０００７】
本発明の抜け防止コネクタにおいて、多角環状面は管体の外壁に形成され、多角環状面は環状に配置される複数の小さな平面を含む。弾性締付リングはナットスリーブに固定接続され、弾性締付リングの内縁は少なくとも１つの小さな平面を押さえる。弾性締付リングに直線部分が形成され、直線部分の内縁が１つの小さな平面を押さえる。
【０００８】
本発明の抜け防止コネクタにおいて、多角環状面はナットスリーブの内壁に形成され、多角環状面は環状に配置される複数の小さな平面を含む。弾性締付リングは管体に固定接続され、弾性締付リングの外縁は隣接する少なくとも２つの小さな平面の間を押さえる。弾性締付リングを折り曲げて凸角が形成され、凸角の外縁が隣接する少なくとも２つの小さな平面の間を押さえる。
【０００９】
本発明の抜け防止コネクタにおいて、スレッドはナットスリーブの外壁に設けられる。
【００１０】
本発明の抜け防止コネクタにおいて、ナットスリーブの両端はそれぞれ螺着端および操作端である。スレッドは螺着端に設置され、操作端は把持スリーブと接続され、ナットスリーブは把持スリーブに相対して同軸回転することができる。操作端は、把持スリーブと相互に重なる。
【００１１】
本発明の抜け防止コネクタにおいて、管体の両端にそれぞれ止め輪が設けられ、１つの止め輪は螺着端の外に留められ、もう１つの止め輪は把持スリーブ内に固定される。止め輪は管体の外側壁に形成されるか、または止め輪は管体の外側壁に固定される。
【００１２】
本発明の抜け防止コネクタはさらに端子台を含み、端子台は本体を含み、本体から平行に間隔を空けて配置される複数の柱体が延伸して形成され、前記端子は本体に埋設され、それぞれ延伸して対応する各柱体の末端から縦方向に貫通する。管体内に前記柱体に対応する複数の導管が形成され、本体は把持スリーブ内に収容される。各柱体はそれぞれ対応する各導管内に挿設され、各端子はそれぞれ管体内に露出する
【００１３】
要約すると、本発明の抜け防止コネクタにおいて、そのナットスリーブおよび管体の間は弾性締付リングが多角環状面を押さえることにより固定する。多角環状面は弾性締付リングに複数の当接点を提供することができ、ナットスリーブおよび管体が緩み、相対回転するとき、弾性締付リングはすぐに次の当接点に係着することができ、再度、管体縁部およびナットスリーブを固定する。ナットスリーブが引き続き対応コネクタに対して回転するのを阻止し、これにより抜けるのを防止する。
【図面の簡単な説明】
【００１４】
【図１】図１は、本発明における抜け防止コネクタの使用状態の概要図である。
【図２】図２は、本発明における抜け防止コネクタの使用状態の概要図である。
【図３】図３は、本発明の第１の実施例における抜け防止コネクタの立体分解概要図である。
【図４】図４は、本発明の第１の実施例における抜け防止コネクタの立体概要図である。
【図５】図５は、本発明の第１の実施例における抜け防止コネクタの立体概要図である。
【図６】図６は、本発明の第１の実施例における抜け防止コネクタ中の管体およびナットスリーブをスリーブ接続した概要図である。
【図７】図７は、本発明の好ましい実施例における抜け防止コネクタの縦方向断面図である。
【図８】図８は、本発明の好ましい実施例における抜け防止コネクタの縦方向断面図である。
【図９】図９は、本発明の好ましい実施例における抜け防止コネクタの横方向断面図である。
【図１０】図１０は、本発明の第２の実施例における抜け防止コネクタの概要図である。
【発明を実施するための形態】
【００１５】
図１から図５を参照されたい。本発明の第１の実施例は、対応コネクタ１０と接続する抜け防止コネクタを提供し、管体１００、複数の端子２００、ナットスリーブ３００、弾性締付リング４１０、把持スリーブ５００および端子台６００を含む。
【００１６】
本実施例において、管体１００は好ましくは絶縁体であるが、本発明は絶縁体に限定されず、導体でもよい。管体１００内に前記柱体６２０に対応する複数の導管１０１が形成され、各端子２００はそれぞれ金属針であり、端子２００はそれぞれ各導管１０１内に挿設される。具体的に、管体１００の両端はそれぞれ外端１１０および内端１２０であり、各導管１０１はそれぞれ管体１００の縦方向に平行に配置され、管体１００の外端１１０および内端１２０の間をつなぐ。
【００１７】
図３から図６を参照されたい。ナットスリーブ３００は管体１００の外に嵌められ、ナットスリーブ３００の両端はそれぞれ螺着端３１０および操作端３２０である。管体１００の外端１１０はナットスリーブ３００の螺着端３１０内に挿設され、管体１００の内端１２０はナットスリーブ３００の操作端３２０内に挿設される。ナットスリーブ３００の螺着端３１０にスレッド３１１が設けられ、対応コネクタ１０を螺着させる。本実施例において、スレッド３１１は好ましくは螺着端３１０の外壁に設置されるが、対応コネクタ１０の異なるスレッド３１１を、螺着端３１０の内壁に設置することもできる。
【００１８】
図１から図５を参照されたい。ナットスリーブ３００の操作端３２０は把持スリーブ５００と接続され、ナットスリーブ３００は把持スリーブ５００に相対して同軸回転することができる。具体的に、操作端３２０は把持スリーブ５００と相互に重なる。操作端３２０の外側面に素手で押さえるための滑り止めリブ３２１か、または挟持するための挟持平面３２２が設けられ、挟持平面３２２は好ましくは１対であり、相互に平行に配置される。したがって、使用者は把持スリーブ５００、さらに素手またはレンチなどの工具によりナットスリーブ３００の操作端３２０を回転させ、ナットスリーブ３００を回転させることができ、これによりスレッド３１１を対応コネクタ１０に螺入するか、または螺出させる。
【００１９】
図３から図５を参照されたい。端子台６００は本体６１０を含み、本体６１０は好ましくは円柱状を呈し、本体６１０の一端から本体６１０の縦方向に沿って複数の柱体６２０が延伸して形成される。端子台６００の本体６１０は把持スリーブ５００内に収容され、前記柱体６２０はそれぞれ管体１００の各導管１０１に対応して配置されるため、前記柱体６２０は相互に平行に間隔を空けて配置される。前記端子２００は本体６１０に埋設され、それぞれ延伸して本体６１０の縦方向に沿って対応する各柱体６２０の末端から貫通する。各柱体６２０はそれぞれ対応する各導管１０１内に挿設され、各柱体６２０はそれぞれ管体１００の内端から各導管１０１内に挿入され、これにより各端子２００はそれぞれ管体１００の外端１１０内に露出する。
【００２０】
図３を参照されたい。管体１００およびナットスリーブ３００のうちの１つは、多角環状面４２０を有する。本実施例において、多角環状面４２０は管体１００の外壁上に形成される外環状面であり、多角環状面４２０は環状に配置される複数の小さな平面４２１を含む。
【００２１】
図７から図９を参照されたい。弾性締付リング４１０はナットスリーブ３００を周回して配置され、弾性締付リング４１０は管体１００およびナットスリーブ３００の間に配置される。弾性締付リング４１０は管体１００およびナットスリーブ３００の多角環状面４２０を有さない方に固定接続され、弾性締付リング４１０は多角環状面４２０を押さえる。本実施例において、具体的に、弾性締付リング４１０は金属線を折り曲げてなるＣ型環であり、弾性締付リング４１０の両端はそれぞれナットスリーブ３００の内壁に固定接続され、さらに弾性締付リング４１０の少なくとも一部分に直線部分４１１が形成される。本実施例において、弾性締付リング４１０に好ましくは相対して配置され、同じである１対の直線部分４１１が設けられるが、本発明は直線部分４１１の数量および位置を限定しない。弾性締付リング４１０の内縁は少なくとも１つの小さな平面４２１を押さえ、本実施例において、前記対の直線部分の内縁はそれぞれ相対して配置される１対の小さな平面４２１を押さえる。弾性締付リング４１０はこれにより管体１００をきつく挟み、管体１００はナットスリーブ３００に相対して回転することができない。
【００２２】
本発明の抜け防止コネクタにおいて、その管体１００の両端にそれぞれ止め輪１３０ａ／１３０ｂが設けられる。１つの止め輪１３０ａは管体１００の外端１１０の外側壁に形成され、ナットスリーブ３００の螺着端３１０の外に留められる。もう１つの止め輪１３０ｂは管体１００の内端１２０の外側壁に固定され、さらにこれは把持スリーブ５００内に固定される。これにより、管体１００および把持スリーブ５００を固定接続する。
【００２３】
本発明の抜け防止コネクタが外力または振動を受け、ナットスリーブ３００を管体１００に相対して回転させるとき、弾性締付リング４１０の直線部分４１１は、その当接した小さな平面４２１から離れる。弾性締付リング４１０はナットスリーブ３００に従って、引き続き管体１００に相対して回転し、直線部分４１１は回転して隣接する別の小さな平面４２１を押さえ、再度、管体縁部およびナットスリーブ３００を固定する。ナットスリーブ３００が引き続き対応コネクタ１０に対して回転するのを阻止し、これにより緩みを防止する。
【００２４】
図１０を参照されたい。本発明の第２の実施例は抜け防止コネクタを提供し、その構造はおおよそ前記第１の実施例と同じであり、その同じ部分はここでは省略する。本実施例における、第１の実施例と異なる部分を以下に詳述する。本実施例において、多角環状面４２０はナットスリーブ３００の内壁に形成される内環状面であり、多角環状面４２０は環状に配置される複数の小さな平面４２１を含み、隣接する任意の２つの小さな平面４２１の間にそれぞれ内角４２２が形成される。弾性締付リング４１０は金属線を折り曲げてなるＣ型環であり、弾性締付リング４１０の両端はそれぞれ管体１００の外壁に固定接続される。弾性締付リング４１０を折り曲げて凸角４１２が形成され、凸角４１２の外縁はいずれか１つの内角４２２を押さえて、管体１００およびナットスリーブ３００を固定する。本発明の抜け防止コネクタが外力または振動を受けて、ナットスリーブ３００を管体１００に相対して回転させるとき、弾性締付リング４１０の凸角４１２は当接する内角４２２から離れる。弾性締付リング４１０はナットスリーブ３００に従って、引き続き管体１００に相対して回転し、凸角４１２は隣接する別の内角４２２中に係入し、再度、管体縁部およびナットスリーブ３００を固定する。ナットスリーブ３００が引き続き対応コネクタ１０に対して回転するのを阻止し、これにより緩みを防止する。
【００２５】
本発明の抜け防止コネクタにおいて、そのナットスリーブ３００および管体１００の間は弾性締付リング４１０が多角環状面４２０を押さえることにより固定する。多角環状面４２０は弾性締付リング４１０に複数の当接点を提供することができ、ナットスリーブ３００および管体１００が緩み、相対回転するとき、弾性締付リング４１０はすぐに次の当接点に係着することができ、再度、管体縁部およびナットスリーブ３００を固定する。ナットスリーブ３００が引き続き対応コネクタ１０に相対して回転するのを阻止し、これにより緩みを防止する。
【００２６】
以上の記載は本発明の好ましい実施例に過ぎず、本発明の特許の範囲を限定しない。本発明の特許の主旨を利用したその他の同等の変更は、いずれも本発明の特許の範囲に属するべきである。
【符号の説明】
【００２７】
１０  対応コネクタ
１００  管体
１０１  導管
１１０  外端
１２０  内端
１３０ａ／１３０ｂ  止め輪
２００  端子
３００  ナットスリーブ
３１０  螺着端
３１１  スレッド
３２０  操作端
３２１  滑り止めリブ
３２２  挟持平面
４１０  弾性締付リング
４１１  直線部分
４１２  凸角
４２０  多角環状面
４２１  小さな平面
４２２  内角
５００  把持スリーブ
６００  端子台
６１０  本体
６２０  柱体
【図１】
2020184507.tif 000003
【図２】
2020184507.tif 000004
【図３】
2020184507.tif 000005
【図４】
2020184507.tif 000006
【図５】
2020184507.tif 000007
【図６】
2020184507.tif 000008
【図７】
2020184507.tif 000009
【図８】
2020184507.tif 000010
【図９】
2020184507.tif 000011
【図１０】
2020184507.tif 000012